(57)【特許請求の範囲】
【請求項１】
前面に開口するフード部を備えた相手のハウジングと嵌合可能とされ、かつ端子金具を収容する端子収容室が貫通して形成されたハウジングと、
前記ハウジングの後面に当着され、かつ常には拡径状態にあって前記端子金具及び同端子金具に接続された電線を挿通可能な複数の電線挿通孔が貫通して形成されたシール部材と、
前記シール部材の後面を押さえ付けて前記シール部材を前記ハウジングとの間に保持する押さえ面を有し、さらにその後面に前記各電線挿通孔へ前記端子金具及び前記電線を遊挿可能な差込口が開口するリアホルダと、
枠状をなすフレームとを備え、このフレームにはロック受け部が設けられるとともにその内側にコネクタ収容空間が保有され、
前記リアホルダにはロック部が設けられ、
前記リアホルダが前記シール部材を間に挟んで前記ハウジングに取り付けられた状態で前記コネクタ収容空間内に収容されることにより、前記ロック部と前記ロック受け部との係止によって前記リアホルダ及び前記ハウジングが前記フレームに位置決め状態に保持されるようになっており、かつ、
前記フレームの外側面にはレバーが回動可能に組み付けられ、
前記相手のハウジングにはカムフォロアが設けられ、
前記レバーの回動動作に基づく前記カムフォロアと前記レバーのカム溝との係合によるカム作用により前記両ハウジングが離脱規制状態に嵌合されることで、前記リアホルダと前記相手のハウジングとが前記フレームと前記レバーとを介して間接的に係止し合うとともに、前記フード部の奥壁の前面と前記ハウジングの前面を突き合わせることにより、
前記リアホルダと前記ハウジングとの離間距離が縮まって前記リアホルダが前記シール部材を前記押さえ面にて厚み方向に圧縮して前記電線挿通孔を縮径させ、前記シール部材が前記厚み方向に圧縮された状態では、前記シール部材の外側面が同外周面に被さった前記相手のハウジングの周壁に当接することにより、前記シール部材の肉が圧縮に伴い径方向外向きに逃げるのを規制した上で、前記電線挿通孔の内周面を前記電線に水密状態で密着させる構成としたことを特徴とする防水コネクタ。
【発明の詳細な説明】
【技術分野】
【０００１】
本発明は、防水コネクタに関する。
【背景技術】
【０００２】
防水コネクタとして、特許文献１に記載のものが知られている。このものは、複数の端子金具を収容可能なキャビティを有するハウジングと、ハウジングの後面に当着する一括型のシール部材と、ハウジングとの間にシール部材を挟み込んでこのシール部材の抜け止めをなしつつハウジングに取り付けられるリアホルダとを備えている。  
シール部材にはキャビティと対応する位置毎に端子金具及び端子金具に接続された電線を緊密に挿通可能な複数の電線挿通孔が貫通して形成され、リアホルダの後面には各電線挿通孔へ端子金具及び電線を遊挿する差込口が開口して形成されている。端子金具は、リアホルダの差込口から挿入され、さらにシール部材の電線挿通孔を押し広げつつハウジング内に挿入される。これにより、シール部材の電線挿通孔の内周面が電線の外周面に水密状態で密着し、キャビティの後面側がシールされた状態となる。
【特許文献１】特開２０００−１５００５８公報
【発明の開示】
【発明が解決しようとする課題】
【０００３】
ところで、端子金具が電線挿通孔を押し広げるのに伴って挿入抵抗が発生するので、多極の場合や端子金具のサイズが大きい場合には作業性が悪いという問題がある。これに対し、電線挿通孔が拡径状態となる設定に変更すれば、作業性が改善されるものの、今度は電線周りのシールを十分にとることができないという問題が生じる。
【０００４】
本発明は上記のような事情に基づいて完成されたものであって、その目的とするところは、端子金具の組み付け作業性に優れ、シール性の良好な防水コネクタを提供することにある。
【課題を解決するための手段】
【０００５】
上記の目的を達成するための手段として、請求項１の発明は、前面に開口するフード部を備えた相手のハウジングと嵌合可能とされ、かつ端子金具を収容する端子収容室が貫通して形成されたハウジングと、前記ハウジングの後面に当着され、かつ常には拡径状態にあって前記端子金具及び同端子金具に接続された電線を挿通可能な複数の電線挿通孔が貫通して形成されたシール部材と、前記シール部材の後面を押さえ付けて前記シール部材を前記ハウジングとの間に保持する押さえ面を有し、さらにその後面に前記各電線挿通孔へ前記端子金具及び前記電線を遊挿可能な差込口が開口するリアホルダと、枠状をなすフレームとを備え、このフレームにはロック受け部が設けられるとともにその内側にコネクタ収容空間が保有され、前記リアホルダにはロック部が設けられ、前記リアホルダが前記シール部材を間に挟んで前記ハウジングに取り付けられた状態で前記コネクタ収容空間内に収容されることにより、前記ロック部と前記ロック受け部との係止によって前記リアホルダ及び前記ハウジングが前記フレームに位置決め状態に保持されるようになっており、かつ、前記フレームの外側面にはレバーが回動可能に組み付けられ、前記相手のハウジングにはカムフォロアが設けられ、前記レバーの回動動作に基づく前記カムフォロアと前記レバーのカム溝との係合によるカム作用により前記両ハウジングが離脱規制状態に嵌合されることで、前記リアホルダと前記相手のハウジングとが前記フレームと前記レバーとを介して間接的に係止し合うとともに、前記フード部の奥壁の前面と前記ハウジングの前面を突き合わせることにより、前記リアホルダと前記ハウジングとの離間距離が縮まって前記リアホルダが前記シール部材を前記押さえ面にて厚み方向に圧縮して前記電線挿通孔を縮径させ、前記シール部材が前記厚み方向に圧縮された状態では、前記シール部材の外側面が同外周面に被さった前記相手のハウジングの周壁に当接することにより、前記シール部材の肉が圧縮に伴い径方向外向きに逃げるのを規制した上で、前記電線挿通孔の内周面を前記電線に水密状態で密着させる構成としたところに特徴を有する。
【発明の効果】
【０００８】
＜請求項１の発明＞
両ハウジングの嵌合動作が開始される前、シール部材の各電線挿通孔は拡径状態にあるため、端子金具及び電線を容易に挿通させることができる。一方、両ハウジングの嵌合させた後は、リアホルダと相手のハウジングとが直接的にあるいは間接的に係止し合うことにより、リアホルダがハウジングとの離間距離を縮めて、押さえ面にてシール部材を厚み方向に圧縮するため、各電線挿通孔は縮径変形させられる。これにより、各電線が電線挿通孔の内周面に沿って密着するため、それぞれ確実にシールされた状態となる。
【０００９】
また、両ハウジングが嵌合されると、シール部材の外周面に相手のハウジングの周壁が被さる。このとき、シール部材の外周面に周壁が当接することにより、シール部材の肉が圧縮に伴い径方向外向きに逃げるのを規制するようにしたから、圧縮に伴い膨出するシール部材の肉が専ら電線挿通孔を縮径変形させるのに使われる。これにより、電線挿通孔の内周面が各電線の外周面により緊密に密着するため、各電線に対するシール性が高められる。
【００１０】
また、リアホルダがシール部材を間に挟んでハウジングに取り付けられた状態で枠状のフレーム内に収容されると、リアホルダのロック部とフレームのロック受け部との係止によりリアホルダ及びハウジングがフレームに対し位置決め状態に保持される。その後、フレームの外周面に設けられたレバーを回動することにより、相手のハウジングのカムフォロアをレバーのカム溝に沿って移動させて、カムフォロアとカム溝との間にカム作用を発揮させ、もって両ハウジングを離脱規制状態に嵌合させる。両ハウジングの嵌合動作がレバーによって助勢されるので、小さい力でシール部材を圧縮変形させることが可能となり、また、レバーの回動ストロークを調整等することでシール部材のシール性を調整することが可能となる。
【発明を実施するための最良の形態】
【００１１】
＜実施形態１＞
本発明の実施形態１を図１ないし図５によって説明する。本実施形態のコネクタは、相手の雄コネクタと嵌合可能な雌コネクタであって分割タイプの防水コネクタとなっており、複数（詳しくは４つ）のサブコネクタ１０がフレーム６０内に収容可能とされている。なお、以下においては雄コネクタとの嵌合面側を前方として説明する。
【００１２】
相手の雄コネクタは、基板（プリント配線基板）用のコネクタであって各サブコネクタ１０毎に対応して複数設けられ、図３及び図４に示すように、前面に開口する角筒状のフード部９１を備えたハウジング９０（本発明の相手のハウジングに相当）により構成されている。フード部９１の奥壁には、雄端子金具９４が貫通して装着され、雄端子金具９４の前半部がフード部９１の内側に突出して配される一方、雄端子金具９４の後半部がフード部９１の奥壁の後面から露出して配され、途中で直角曲げされて基板（図示せず）の導電路に半田付け等により接続される。雄端子金具９４の後端部は基板と平行に配された板状のアライメントプレート９８の位置決め孔９９に挿通され、これにより隣接する雄端子金具９４同士が一定間隔に保持されるようにしてある。そして、雄コネクタの中にはフード部９１の上面にカムフォロア９５を突設させたものが含まれ、このカムフォロア９５がフレーム６０に装着されたレバー７０のカム溝７１に進入し、レバー７０の回動動作に伴って両ハウジング１１，９０が互いに引き寄せられて嵌合されるようになっている。
【００１３】
サブコネクタ１０は、図１及び図２に示すように、ハウジング１１、リテーナ３５、シール部材４０、リアホルダ５０を備えている。ハウジング１１は、合成樹脂製であって略直方体形状をなし、その内部に、雌端子金具３０を後方から挿入可能な複数のキャビティ１２（本発明の端子収容室に相当）を有している。キャビティ１２は、高さ方向に複数段で幅方向に複数列となって配置され、その内壁に、前方に突出する片持ち状のランス１８が撓み変形可能に形成されている。ハウジング１１の上面には、リアホルダ５０に設けられた係止脚片５１の係止爪５１Ａが引掛け状態で係止可能な係止受け部１３が段付け状に設けられている。また、ハウジング１１の上面両側部には、一対の係止脚片保護壁１４が立設されており、両係止脚片保護壁１４の間に係止脚片５１が配されることにより、係止脚片５１が異物との引掛りによって捲れ上がるのを回避できるようになっている。
【００１４】
ハウジング１１の下面には、リテーナ３５の装着孔１５が開口して形成されている（図５を参照）。装着孔１５は、全キャビティ１２を貫通する深さを有し、ここに下方からサイドタイプのリテーナ３５が差し込まれる。リテーナ３５は、合成樹脂製であって全体として平板状をなし、キャビティ１２と対応する位置に端子挿通孔３６を有するとともに、その両側上壁に前後一対の弾性係止片３７を突設させてある。端子挿通孔３６の孔壁には係止突起３８が形成され、また、弾性係止片３７は装着孔１５の孔壁に形成されたリテーナ係止部（図示せず）に弾性係止可能とされている。リテーナ３５は、仮係止位置と本係止位置との間を変位可能とされ、弾性係止片３７がリテーナ係止部に弾性係止することでリテーナ３５が両位置で抜け止め保持されるようになっている。そして、リテーナ３５が仮係止位置にあるときには、係止突起３８がキャビティ１２外に退避して雌端子金具３０の挿通を許容する一方、そこから押し込まれてリテーナ３５が本係止位置に至ると、係止突起３８がキャビティ１２内に進入し、そこに正規挿入された雌端子金具３０の後端顎部３１に係止突起３８が対峙して雌端子金具３０の抜け止めをなす。
【００１５】
ハウジング１１の後面には、ゴム材よりなる一括型のシール部材４０が取り付けられる。このシール部材４０は、ハウジング１１の後面全体に当着可能であって、各キャビティ１２と対応する位置毎に略円形の電線挿通孔４１を有し、各電線挿通孔４１に対して雌端子金具３０にかしめ付けにより接続された電線Ｗが貫通可能とされている。シール部材４０の電線挿通孔４１は、常には拡径状態にあって雌端子金具３０及び電線Ｗを容易に挿通可能とされているが、後述するレバー７０の回動動作に基づいてシール部材４０が厚み方向に圧縮されるのに伴って縮径変形させられ、その内周面を電線Ｗに緊密に密着可能とされている。シール部材４０において各電線挿通孔４１を挟んだ上下両位置には、係止脚片挿通孔４２が保有され、この係止脚片挿通孔４２に係止脚片５１が貫通可能とされている。係止脚片５１の根元部分は、シール部材４０が圧縮変形される間、係止脚片挿通孔４２の孔壁を摺動可能とされている。
【００１６】
かかるシール部材４０は、電線挿通孔４１の内周面に形成された複数条（図示する場合は３条）のリップ４３を弾縮させつつ電線Ｗの外周面に水密状態で密着可能とされ、これにより電線Ｗ周りのシールをとっている。さらに、シール部材４０は、その外周面に形成された複数条（図示する場合は３条）のリップ４３を弾縮させつつ、その外周面に覆い被さるフード部９１の周壁に水密状態で密着可能とされ、これにより両ハウジング１１，９０間のシールをとっている（図４を参照）。つまり、シール部材４０は、電線Ｗ周りのシールをとる機能と両ハウジング１１，９０間のシールをとる機能の両機能を併せ持っており、両機能を別々のシール部材で実現する従来品よりも、部品点数の削減と構造の簡略化が可能となっている。
【００１７】
シール部材４０の抜け止めをなすリアホルダ５０は、合成樹脂製であって方形ブロック状のホルダ本体５２を備えている。ホルダ本体５２には、シール部材４０の電線挿通孔４１と対応する位置に、雌端子金具３０とこれに接続された電線Ｗとを電線挿通孔４１へ通すための差込口５３が前後方向に延設されている。差込口５３はホルダ本体５２の後面に開口されており、この差込口５３から電線Ｗ付きの雌端子金具３０が挿入可能とされている。差込口５３は、雌端子金具３０の箱部３２と同じかそれより少し大きい開口径を有し、ここに雌端子金具３０に接続された電線Ｗが遊挿状態で貫通可能とされている。
【００１８】
また、ホルダ本体５２には、各差込口５３を挟んだ上下両位置に、係止脚片５１が前方へ突出して形成されている。係止脚片５１は、後方からシール部材４０の係止脚片挿通孔４２を貫通したあとハウジング１１の上下両面に被さる長さをもって構成され、その先端部に形成された係止爪５１Ａがハウジング１１の係止受け部１３に弾性的に係止可能とされている。  
ホルダ本体５２の前面はシール部材４０の後面に密着し得る押さえ面５２Ａとして構成される。リアホルダ５０は、押さえ面５２Ａにてシール部材４０を押さえ付けてハウジング１１との間にシール部材４０を保持した状態で、係止爪５１Ａと係止受け部１３との係止によってハウジング１１に取り付けられている。レバー７０の回動動作に基づいてリアホルダ５０とハウジング１１とが相互に接近することにより、シール部材４０が厚み方向に圧縮させられ、それに伴って係止爪５１Ａが係止受け部１３から離れる方向に少し位置ずれするようになっている。なお、本実施形態の場合には、各サブコネクタ１０のサイズに合わせて係止脚片５１を上下一対備えるものから上下三対備えるまで用意されている。
【００１９】
各リアホルダ５０は相互の側縁同士を突き合わせた状態で並び方向（幅方向）に連結され、これにより各サブコネクタ１０がリアホルダ５０を介して横並びで合体保持されるようになっている。並び方向で隣接するホルダ本体５２の対向面（側面）には凹凸嵌合部５５が設けられており、隣接するホルダ本体５２を、相互の側縁同士を突き合わせつつ前後方向にスライドさせることにより、凹凸嵌合部５５を互いに嵌め合わせ、もって隣接するリアホルダ５０を離脱規制状態に連結するようになっている。
【００２０】
ホルダ本体５２の後端部における上下両面には、幅方向に延出してホルダ本体５２の両側面に開口するレール溝状をなす一対のガイド受け部５９が形成されている。ガイド受け部５９にフレーム６０に形成されたガイド部６５が摺動することにより、リアホルダ５０ひいてはサブコネクタ１０がフレーム６０内に挿入案内されるようになっている。
【００２１】
フレーム６０に対して最後に挿入されるサブコネクタ１０（以下、最後のサブコネクタ１０Ａという）におけるリアホルダ５０の上面には、図２に示すように、フレーム６０に対するロック部５０Ｂが全体を通して唯一つ設けられている。ロック部５０Ｂは、ガイド受け部５９を被覆する覆い壁５９Ａの上面に突設され、覆い壁５９Ａがガイド受け部５９内に撓み変形することでフレーム６０に形成されたロック受け部６１と弾性的に係止可能とされている。また、最後のサブコネクタ１０Ａには、リアホルダ５０の片側縁から前方へ突出する保護壁５０Ｈが形成されている。保護壁５０Ｈは、高さ方向に切り立つ一枚板状をなし、シール部材４０の端面側方を横切って配されている。最後のサブコネクタ１０Ａにおけるシール部材４０の端面は、フレーム６０の一側面６０Ａに露出されるものの、保護壁５０Ｈによって覆い隠されるので、異物との干渉によって損傷することはない。
【００２２】
フレーム６０は、同じく合成樹脂製であって全体として扁平枠状をなし、図１に示すように、前面及び一側面６０Ａが開口して形成されている。各サブコネクタ１０は、フレーム６０の一側面６０Ａからフレーム６０の内側に順次装着可能とされている。フレーム６０の上下両壁の外側面にはレバー７０を回動可能に支持するための一対の支持軸６２が突設されている。レバー７０は、操作部７２と一対のアーム部７３とで全体として門型をなし、両アーム部７３が支持軸６２に支持された状態でフレーム６０に跨るように組み付けられる。そして、レバー７０は、図１に示す回動初期位置から支持軸６２を中心として回動され、回動終端位置に至ってフレーム６０の側壁に係止される。レバー７０のアーム部７３には相手のハウジング９０のカムフォロア９５と係合可能なカム溝７１が形成されている。
【００２３】
レバー７０を回動初期位置に置いてフレーム６０内に各サブコネクタ１０を装着したあと相手のハウジング９０を嵌合すると、レバー７０のカム溝７１の入り口にカムフォロア９５が進入する。その状態でレバー７０を回動終端位置に向けて回動すると、カムフォロア９５がカム溝７１に沿って移動して両者間でカム作用が発揮され、もって両ハウジング１１，９０同士が引き寄せられるようになっている。フレーム６０の上下両壁には、一対の開き防止壁６３がアーム部７３の外側を覆うように配設され、両ハウジング１１，９０の嵌合動作に伴うアーム部７３の拡開変形を防止している。
【００２４】
レバー７０が回動初期位置から回動終端位置に向かう途中で、両ハウジング１１，９０が互いの嵌合面（フード部９１の奥壁の前面とハウジング１１の前面）を突き合わせることになるが、この突き合わせ位置からさらにレバー７０が回動されて回動終端位置に至る間に、リアホルダ５０とハウジング１１との離間距離が縮まってシール部材４０が厚み方向（前後方向）に圧縮変形させられる（図４を参照）。つまり、レバー７０の回動ストロークは、両ハウジング１１，９０の嵌合動作に要するストローク量とシール部材４０を圧縮変形させるのに要するストローク量とを加算した分に設定されている。
【００２５】
また、シール部材４０は、上記した圧縮に伴って電線挿通孔４１を縮径変形させ、その内周面を電線Ｗの外周面に緊密に密着させることになる。端的には、リアホルダ５０と相手のハウジング９０とがフレーム６０とレバー７０とを介して間接的に係止し合うことにより、シール部材４０の圧縮に起因して電線Ｗ周りがシールされた状態となる。さらに、シール部材４０の外周面には、フード部９１の周壁が被さって当接状態にあるので、シール部材４０の肉は、径方向外向きに逃げることはなく、専ら電線挿通孔４１を縮径変形させる方向に膨出される。
【００２６】
フレーム６０は、区画壁によって仕切られることなく各サブコネクタ１０を一括して収容可能な１つのコネクタ収容空間６４を有し、その上下両壁の内面に、幅方向に延出してレール状をなす一対のガイド部６５を備えている。また、フレーム６０の上下両壁の内面には、ガイド部６５の後方にて同ガイド部６５と平行に延出する一対の受け壁６６が形成され、さらに、フレーム６０の上下両壁の一側面６０Ａ近傍には、略方形状のロック受け部６１が厚み方向に貫通して形成されている。フレーム６０内は、受け壁６６を境とした前方領域がコネクタ収容空間６４とされ、後方領域がリアホルダ５０の後面から引き出される電線Ｗを一括して収容するための電線収容空間６７とされる。また、フレーム６０は、各サブコネクタ１０から導出された電線Ｗを一側面６０Ａと同じ側へ屈曲案内する後壁６８を備えている。
【００２７】
各サブコネクタ１０は、リアホルダ５０にて合体状態を保ったまま一側面６０Ａからフレーム６０内に並び方向にスライド挿入される。このとき、ガイド受け部５９とガイド部６５とが前後方向で係合することでフレーム６０における各サブコネクタ１０の前後方向の位置決めがなされる。そして最後のサブコネクタ１０Ａがフレーム６０内に挿入されると、そのリアホルダ５０のロック部５０Ｂがフレーム６０のロック受け部６１に弾性的に嵌入され、もって各サブコネクタ１０の幅方向の位置決めがなされるとともに、各サブコネクタ１０の一側面６０Ａからの抜け出しが規制される。このとき、最初に挿入されたサブコネクタ１０の側縁がフレーム６０の奥壁６９に当て止めされてそれ以上の挿入操作が規制される。レバー７０の回動動作に伴い両ハウジング１１，９０の嵌合動作が進む過程で、ハウジング１１に、相手のハウジング９０の嵌合方向に押圧力が作用することになるが、この押圧力を受け壁６６が受け止めることで、各サブコネクタ１０の後退変位が阻止される。
【００２８】
次に、本実施形態の組み付け手順について説明する。まずハウジング１１の後面にシール部材４０を当着させ、その状態で後方からリアホルダ５０の係止脚片５１をシール部材４０の係止脚片挿通孔４２に通しつつリアホルダ５０を被せ付ける。係止脚片５１の係止爪５１Ａがハウジング１１の係止受け部１３に弾性係止することで、リアホルダ５０がシール部材４０を間に挟んでハウジング１１に取り付けられる。
【００２９】
続いて、リテーナ３５をハウジング１１に差し込んで仮係止位置に留め置き、電線Ｗに接続された雌端子金具３０を、リアホルダ５０の差込口５３へ遊挿状態で差し込み、さらに拡径状態にある電線挿通孔４１へ差し込んだ後、ハウジング１１のキャビティ１１内に後方から進入させる。キャビティ１１内に進入した雌端子金具３０は、キャビティ１２の内壁に形成されたランス１８により一次係止される。その後、リテーナ３５を深く差し込んで本係止位置に至らしめ、リテーナ３５の係止突起３８によって雌端子金具３０を二次係止することで、雌端子金具３０の確実な抜け止めをなす。
【００３０】
全てのサブコネクタ１０について雌端子金具３０の装着作業が完了したら、続いて、隣接するリアホルダ５０同士を、凹凸嵌合部５５により離脱規制状態に連結保持させる。こうして一対のサブコネクタ１０同士を合体させたら、このうちの一方のリアホルダ５０に別のサブコネクタ１０のリアホルダ５０を連結させ、各サブコネクタ１０を並び方向に順次合体させる。本実施形態の場合には、４つのサブコネクタ１０が合体化（アッセンブリ化）され、このうち、最後のサブコネクタ１０Ａが右端に位置する構成とされる。かかる合体状態では、各サブコネクタ１０でそれぞれのガイド受け部５９が幅方向の一直線上に切り目なく連なるようになる。
【００３１】
次に、この合体状態にある各サブコネクタ１０を、一側面６０Ａからフレーム６０のコネクタ収容空間６４に挿入する。挿入開始時に左端のサブコネクタ１０のガイド受け部５９をフレーム６０のガイド部６５に適合させ、その状態から各サブコネクタ１０をコネクタ収容空間６４の奥方へ押し込む。すると、各サブコネクタ１０がガイド部６５に案内されつつフレーム６０内に挿入され、さらに各サブコネクタ１０が正規の装着位置に至るのに伴い、最初に挿入されたサブコネクタ１０が奥壁６９に当て止めされるとともに、最後のサブコネクタ１０Ａに設けられたロック部５０Ｂがフレーム６０のロック受け部６１に弾性係止される。これにより、各サブコネクタ１０は、リアホルダ５０によって互いの間隔が一定の保たれてフレーム６０との間に相互の相対位置が位置決めされた状態にロックされる。また、各サブコネクタ１０から引き出された電線Ｗがまとめられて電線収容空間６７に収められ、所定方向に引き出される。
【００３２】
こうしてフレーム６０への組み付けが完了したら、図３から図４にかけて示すように、前方から相手のハウジング９０を対応するハウジング１１に緩く嵌合させ、その状態でレバー７０を回動することで、両ハウジング１１，９０を正規深さで嵌合させる。嵌合途上においては、フード部９１の周壁が隣接するリアホルダ５０の対向面間に摺動可能に進入し、両対向面に案内されることで両ハウジング１１，９０の嵌合動作が円滑に進行する。レバー７０が突き合わせ位置から回動終端位置まで回動されると、相手のハウジング９０とリアホルダ５０との間に作用する嵌合圧縮力によってシール部材４０が厚み方向に圧縮され、それに伴う電線挿通孔４１の縮径変形動作によって電線挿通孔４１の内周面が電線Ｗの外周面に緊密に密着し、電線Ｗ周りが確実にシールされた状態となる。また、両ハウジング１１，９０が正規嵌合されると、フード部９１の周壁がシール部材４０に緊密に外嵌され、シール部材４０のリップ４３がフード部９１の周壁に圧潰されることで両ハウジング１１，９０間が確実にシールされた状態となる。
【００３３】
以上説明したように本実施形態によれば、レバー７０が回動初期位置にあって両ハウジング１１，９０の嵌合動作が開始される前には、シール部材４０の各電線挿通孔４１は拡径状態にあるため、雌端子金具３０及び電線Ｗを容易に挿通させることができる。一方、レバー７０が回動終端位置に至って両ハウジング１１，９０が正規嵌合された後には、リアホルダ５０と相手のハウジング９０とがフレーム６０に組み付けられたレバー７０の回動動作に基づいて間接的に係止し合うことにより、リアホルダ５０がハウジング１１との離間距離を縮めて、その押さえ面５２Ａにてシール部材４０を厚み方向に圧縮するため、各電線挿通孔４１は縮径変形させられる。これにより、各電線Ｗが電線挿通孔４１の内周面に沿って密着するため、それぞれ確実にシールされた状態となる。
【００３４】
また、両ハウジング１１，９０が正規嵌合されると、シール部材４０の外周面にフード部９１の周壁が被さって当接状態となることにより、シール部材４０の肉が径方向外向きに逃げることがなく、圧縮時にはシール部材４０の肉が専ら電線挿通孔４０を縮径変形させる方向に膨らみ出ることになる。これにより、電線挿通孔４０の内周面が各電線Ｗの外周面により緊密に密着するため、各電線Ｗに対するシール性が高められる。  
さらに、両ハウジング１１，９０の嵌合動作がレバー７０によって助勢されるので、小さい力でシール部材４０を圧縮変形させることが可能となり、また、レバー７０の回動ストロークを調整することにより、シール部材４０のシール性を適切に調整することができる。
【００３５】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）本発明は、雄端子金具を収容させた雄コネクタにも適用することができる。
【図面の簡単な説明】
【００３６】
【図１】本実施形態のコネクタの分解斜視図
【図２】サブコネクタの分解斜視図
【図３】相手の雄コネクタと嵌合する前のサブコネクタの断面図
【図４】相手の雄コネクタと嵌合したサブコネクタの断面図
【図５】サブコネクタの分解断面図
【符号の説明】
【００３７】
Ｗ…電線
１０…サブコネクタ
１１…ハウジング
１２…キャビティ（端子収容室）
３０…雌端子金具
４０…シール部材
４１…電線挿通孔
５０…リアホルダ
５２Ａ…押さえ面
５３…差込口
６０…フレーム
７０…レバー
９０…相手のハウジング
９５…カムフォロア
【図１】
0004525499.tif 000002
【図２】
0004525499.tif 000003
【図３】
0004525499.tif 000004
【図４】
0004525499.tif 000005
【図５】
0004525499.tif 000006